(57)【要約】【課題】下丁番の下回動部材を下固定部材に対し容易に組み付けることができる遊技機用丁番を提供する。【解決手段】遊技機の外枠の一側縁の上部と遊技機の前枠の一側縁の上部に取り付けられる上丁番５と、外枠の一側縁の下部と前枠の一側縁の下部に取り付けられる下丁番１と、を備え、前枠が外枠に対し回動自在に且つ着脱可能に支持される遊技機用丁番である。下丁番１は、外枠の一側縁に固定される下固定部材２と、前枠の一側縁に固定される下回動部材３とを有する。下固定部材２の水平板部２１の前部に軸受溝２３が前方に開口して形成され、下回動部材３の水平板部３１には軸受溝に嵌入可能な下回動支軸３３が下側に突設される。下回動支軸３３が軸受溝２３に嵌入したとき、軸受溝２３の開口を閉鎖する軸受溝閉鎖部材２４が下固定部材２の水平板部２１に設けられる。【選択図】図１
2008113740.tif 000002
【特許請求の範囲】
【請求項１】
遊技機の外枠の一側縁の上部と該遊技機の前枠の一側縁の上部に取り付けられる上丁番と、該外枠の一側縁の下部と該前枠の一側縁の下部に取り付けられる下丁番と、を備え、該前枠を該外枠に対し回動自在に且つ着脱可能に支持する遊技機用丁番であって、
該下丁番は、該外枠の一側縁に固定される下固定部材と、該前枠の一側縁に固定される下回動部材とを有し、該下固定部材の水平板部の前部に軸受溝が前方に開口して形成され、該下回動部材の水平板部には該軸受溝に嵌入可能な下回動支軸が下側に突設され、該下回動支軸が該軸受溝に嵌入したとき、該軸受溝の開口を閉鎖する軸受溝閉鎖部材が該下固定部材の該水平板部に設けられたことを特徴とする遊技機用丁番。
【請求項２】
前記軸受溝閉鎖部材は、先端に閉鎖先端部を有すると共に、前記下固定部材の水平板部の下側に、該閉鎖先端部を前記軸受溝に対し進退させる方向に、摺動可能に取り付けられ、該軸受溝閉鎖部材の該閉鎖先端部を軸受溝内に進入させる方向に付勢するばね部材が配設されたことを特徴とする請求項１記載の遊技機用丁番。
【発明の詳細な説明】
【技術分野】
【０００１】
本発明は、パチンコ遊技機などの遊技機の前枠を、外枠に対し回動自在に軸着する遊技機用丁番に関する。
【背景技術】
【０００２】
従来、パチンコ遊技機などの遊技機の前枠を、外枠に対し回動自在に軸着する着脱可能な遊技機用丁番として、上丁番と下丁番が分離して設けられ、上丁番と下丁番を各々固定側と回動側で各々着脱可能に形成された丁番が下記特許文献１などで知られている。
【０００３】
この丁番の上丁番は、外枠の上部に固定される上固定部材と前枠の上部に取り付ける上回動部材からなり、上固定部材に受入れ溝を形成すると共に、上回動部材に上回動支軸を突設して構成される。その下丁番は、外枠の下部に固定される下固定部材と前枠の下部に取り付ける下回動部材を有し、下固定部材には下固定支軸を突設すると共に、下回動部材には下固定支軸に嵌合する下軸孔を設けて構成される。
【特許文献１】特開平８−２１５３９５号公報
【発明の開示】
【発明が解決しようとする課題】
【０００４】
このような従来の遊技機用丁番は、遊技機の前枠を外枠に対し開閉回動自在に組み付ける際、先ず、下丁番の下回動部材の下軸孔を、下丁番の下固定部材の下固定支軸に嵌め込み、その後で、上丁番の上回動部材の上回動支軸を、上固定部材の受入れ溝に嵌め込むようにして、組み付けられる。
【０００５】
つまり、下丁番の組み付けは、下回動部材の下軸孔を、下丁番の下固定部材の下固定支軸に向けて、下回動部材を動かすように、前枠を移動させて行なわれる。また、このような遊技機の前枠の組み付け作業は、通常、上丁番の付近の高さ位置に、目線を有した作業者によって行なわれている。
【０００６】
このため、下丁番を組み付ける際には、下丁番が作業者の目の位置の斜め下方に位置することとなる。このため、作業者の目線が下向きとなり、作業者にとって、下回動部材の下軸孔や下固定部材の下固定支軸が、前枠の陰になって見にくくなる。このために、重量の重い前枠を持って細い下固定支軸に小径の下軸孔を嵌め込む作業は難しく、下丁番の組み付けが円滑に効率よく行なうことができにくいという課題があった。
【０００７】
本発明は、上述の課題を解決するものであり、下丁番の下回動部材を下固定部材に対し容易に組み付けることができる遊技機用丁番を提供することを目的とする。
【課題を解決するための手段】
【０００８】
本発明に係る遊技機用丁番は、遊技機の外枠の一側縁の上部と遊技機の前枠の一側縁の上部に取り付けられる上丁番と、該外枠の一側縁の下部と該前枠の一側縁の下部に取り付けられる下丁番と、を備え、該前枠が該外枠に対し回動自在に且つ着脱可能に支持される遊技機用丁番であって、該下丁番は、該外枠の一側縁に固定される下固定部材と、該前枠の一側縁に固定される下回動部材とを有し、該下固定部材の水平板部の前部に軸受溝が前方に開口して形成され、該下回動部材の水平板部には該軸受溝に嵌入可能な下回動支軸が下側に突設され、該下回動支軸が該軸受溝に嵌入したとき、該軸受溝の開口を閉鎖する軸受溝閉鎖部材が該下固定部材の該水平板部に設けられたことを特徴とする。
【０００９】
ここで、上記軸受溝閉鎖部材は、先端に閉鎖先端部を有すると共に、上記下固定部材の水平板部の下側に、該閉鎖先端部を前記軸受溝に対し進退させる方向に、摺動可能に取り付けられ、該軸受溝閉鎖部材の該閉鎖先端部を軸受溝内に進入させる方向に付勢するばね部材を設けることができる。
【発明の効果】
【００１０】
上記構成の遊技機用丁番によれば、前枠の一側縁の下部に取り付けられた下丁番の下回動部材を、外枠の一側縁の下部に固定された下固定部材に対し、組み付ける際、前枠を持って下丁番の下回動部材の水平板部を、外枠の下丁番の下固定部材の水平板部の上に載せ、そのまま滑らせながら、下回動部材の水平板部の下側に突設された下回動支軸を、下固定部材の水平板部の軸受溝内に進入させて嵌め込むように操作する。この際、下回動支軸が軸受溝閉鎖部材を例えば押し開くようにして軸受溝に嵌入し、その後、軸受溝閉鎖部材はばね部材の付勢力により軸受溝の開口を閉鎖する。
【００１１】
よって、下丁番の下回動部材の水平板部を、その下固定部材の水平板部の上に載せて滑らせながら、正面の開口から軸受溝に下回動支軸を嵌め込むことができるから、作業者は、重量の重い前枠を持った状態で、且つ下丁番が作業者の目線の下方に位置して見にくい状態であっても、容易に下固定部材に下回動部材を嵌め込み組付けることができる。
【００１２】
遊技機用丁番では、上記のように下丁番の下固定部材と下回動部材が組み付けられるが、上丁番は、下丁番の組み付け前に予め組み付けておいても、或いは下丁番を組み付けた後に上丁番を組み付けることもできる。
【発明を実施するための最良の形態】
【００１３】
以下、本発明の一実施形態を図面に基づいて説明する。図１は遊技機用丁番の下丁番１の斜視図を示している。この下丁番１は、外枠４０の一側縁（左側縁下部内側）に固定される下固定部材２と、前枠４１の一側縁（左側縁下部）に取り付けられる下回動部材３と、を備えて構成される。そして、下丁番１には、その下固定部材２の水平板部２１の前部に軸受溝２３が前方に開口して形成され、下回動部材３の水平板部３１に、軸受溝２３に嵌入可能な下回動支軸３３が下側に突設され、下回動支軸３３が軸受溝２３に嵌入されて下固定部材２に対し下回動部材３が組み付けられる。
【００１４】
図３に示すように、下固定部材２は、パチンコ遊技機の外枠４０の左側縁部の内側下角部に固定されるように、鋼板を略Ｌ字状に曲折して形成され、水平板部２１の側部に垂直板部２２が上方に垂直に曲折されている。下固定部材２を外枠４０の左側縁部の内側下角部に固定する際、この垂直板部２２が外枠４０の縦辺の内側に当接して固定され、水平板部２１の後半部が外枠４０の下辺上に当接して固定される。また、水平板部２１の前縁部には、幕板２６が正面から右側面にかけてその前縁部を下側に曲折して形成される。この幕板２６は水平板部２１の下側に収納される軸受溝閉鎖部材２４の前部と側部を覆う機能を有している。
【００１５】
さらに、水平板部２１の前部には、下回動支軸３３が嵌入する軸受溝２３が正面に開口して形成されている。この軸受溝２３の開口部は下回動支軸３３が容易に嵌入可能なように、前方の角が除去されて僅かに広がり形状となっている。また、水平板部２１の略中央に、後述の軸受溝閉鎖部材２４用のばね係止部２４ｄを挿通させるための長孔２７が形成されている。さらに、垂直板部２２の前部には、ばね係止部２２ａが設けられ、ばね部材（コイルばね）２５がこのばね係止部２２ａと上記ばね係止部２４ｄとの間に係止される。垂直板部２２には固定ねじを挿通させるための固定孔が穿設されている。
【００１６】
一方、下固定部材２の水平板部２１の前部の下側（内側）に、軸受溝２３の開口を閉鎖する軸受溝閉鎖部材２４が摺動可能に配設される。この軸受溝閉鎖部材２４は、図２、図４に示すように、板状に形成され、先端に閉鎖先端部２４ａが突出して形成されている。この軸受溝閉鎖部材２４には、閉鎖先端部２４ａの突出方向つまり軸受溝２３を閉鎖する方向に摺動可能に、２個のガイド孔２４ｂが設けられ、これらのガイド孔２４ｂにガイドピン２４ｃが挿入される。
【００１７】
また、軸受溝閉鎖部材２４の縁部にばね係止部２４ｄが上側に突設され、このばね係止部２４ｄは、上記下固定部材２の水平板部２１の長孔２７に挿通される。そして、軸受溝閉鎖部材２４は、図２に示すように、下固定部材２の水平板部２１の前部の下側に挿入され、この状態で、２本のガイドピン２４ｃ、２４ｃがガイド孔２４ｂ、２４ｂに挿入され、そのガイドピン２４ｃ、２４ｃの先端は水平板部２１に固定される。
【００１８】
これにより、軸受溝閉鎖部材２４は水平板部２１の前部の下側で、左右方向（軸受溝２３の開口部を開閉する方向）に摺動可能に取り付けられ、軸受溝閉鎖部材２４は、ガイドピン２４ｃと幕板２６によりその摺動をガイドされる。さらに、上記の如く、ばね部材２５が垂直板部２２のばね係止部２２ａと軸受溝閉鎖部材２４のばね係止部２４ｄとの間に係止され、このばね部材２５の付勢力により閉鎖先端部２４ａが軸受溝２３を閉鎖する方向に付勢される。これにより、通常時、軸受溝閉鎖部材２４は、図１に示すように、その閉鎖先端部２４ａを軸受溝２３内に進入させ、軸受溝２３の開口を閉鎖する。
【００１９】
前枠４１の左側縁部の下角部に取り付けられる下回動部材３は、図５に示すように、所定形状に裁断した鋼板を略Ｌ字状に曲折して形成され、水平板部３１の後部には垂直板部３２が上側に直角に曲折される。そして、水平板部３１の前部に下回動支軸３３が下に向けて突設され、この下回動支軸３３は上記下固定部材２側の軸受溝２３に嵌入可能に形成されている。
【００２０】
さらに、下回動部材３の垂直板部３２の背面側には、水平板部３１の後部に水平に延設するように、水平突出部３１ａが背面側に突設されている。この水平突出部３１ａは、この下回動部材３が前枠４１の下角部に取り付けられ、その前枠４１を外枠４０に対し閉鎖した際、図８のように、水平突出部３１ａは下固定部材２の水平板部２１上を摺動回転して、ばね係止部２４ｄに当り、軸受溝閉鎖部材２４が何らかの理由により閉鎖位置まで移動せずに途中で停止しているような場合、この水平突出部３１ａが強制的に軸受溝閉鎖部材２４を閉鎖方向に押し、確実に軸受溝閉鎖部材２４が軸受溝２３の開口を閉鎖するように作用する。
【００２１】
上記のように構成された下丁番１は、図１０に示すように、その下固定部材２が、パチンコ遊技機の外枠４０の左側下角部に、その垂直板部２２を外枠４０の縦辺の内側に取着し、その水平板部２１を外枠４０の下辺の内側に、その水平板部２１の前部を前方に突き出すように取着して、固定される。さらに、その下回動部材３が、前枠４１の左側下角部に、その水平板部３１と垂直板部３２を当て、水平板部３１の前部（下回動支軸３３の部分）を前方に突き出すように取り付けられる。
【００２２】
一方、外枠４０と前枠４１の左側上角部には、図１０、図１２に示すように、上丁番５が取り付けられる。上丁番５は、上固定部材５ａと上回動部材５ｂとからなり、上固定部材５ａには、水平突出部が前方に突設され、その水平突出部に軸受孔５ｄが穿設され、上回動部材５ｂの水平突出部には、上回動支軸５ｃが下側に突設されている。
【００２３】
遊技機用丁番を組み付ける場合、先ず、上丁番５を組み付け、次に、下丁番１を組み付ける。すなわち、作業者は前枠４１を持って、その上丁番５の上回動部材５ｂの上回動支軸５ｃを、外枠４０の上固定部材５ａの軸受孔５ｄに上方から嵌め込むようにする。これにより、上固定部材５ａの水平突出部の上に上回動部材５ｂの水平突出部が重ねられ、上固定部材５ａの軸受孔５ｄに上回動部材５ｂの上回動支軸５ｃが上から嵌入される。この状態で、前枠４１の上部が上丁番５を介して外枠４０に対し支持された状態となる。
【００２４】
次に、前枠４１の下部に取り付けられた下丁番１の下回動部材３を、外枠４０下部に固定された下固定部材２に対し、組み付ける。このとき、作業者は、前枠４１を軽く持って、下丁番１の下回動部材３の水平板部３１を、外枠４０側の下丁番１の下固定部材２の水平板部２１の上に載せ、そのまま滑らせながら、下回動部材３の水平板部３１の下側に突設された下回動支軸３３を、下固定部材２の水平板部２１の軸受溝２３内に進入させて嵌め込むように操作する。
【００２５】
この際、下回動支軸３３は、軸受溝２３内に進入するとき、閉鎖先端部２４ａに当って、軸受溝閉鎖部材２４を押し開くように摺動させる。そして、下回動支軸３３が軸受溝２３の奥まで進入したとき、軸受溝閉鎖部材２４がばね部材２５の付勢力により閉鎖方向に移動し、閉鎖先端部２４ａが軸受溝２３の開口を閉鎖し、遊技機用丁番の組み付けは完了する。
【００２６】
このように、下丁番１の下回動部材３の水平板部３１を、その下固定部材２の水平板部２１上に載せて滑らせながら、正面の開口から軸受溝２３内に下回動支軸３３を嵌め込むことができるから、作業者は、重量の重い前枠４１を持った状態であっても、また下丁番１が作業者の目線の下方に位置して見にくい状態であっても、容易に下固定部材２に下回動部材３を嵌め込み組付けることができる。
【００２７】
なお、上記実施形態では、上丁番として、上固定部材５ａと上回動部材５ｂを有し、上固定部材５ａの水平突出部に軸受孔５ｄが穿設され、上回動部材５ｂの水平突出部に上回動支軸５ｃが下側に突設され、その上回動支軸５ｃを上方から軸受孔５ｄに嵌入して組み付ける構造の上丁番５を使用したが、他の構造の上丁番を使用することもできる。例えば、上記背景技術の欄で言及した従来の上丁番、すなわち、上固定部材に設けた軸受溝に、嵌着孔を有する板ばね製の弾着部材を取り付け、上回動部材の上に突設した上回動支軸を、上固定部材の軸受溝に進入させ弾着部材を変形させながら、上回動支軸を軸受溝に嵌入する構造の上丁番を使用することもできる。
【図面の簡単な説明】
【００２８】
【図１】本発明の一実施形態を示す遊技機用丁番の下丁番の斜視図である。
【図２】下固定部材の分解斜視図である。
【図３】下固定部材の正面図（ａ）、同平面図（ｂ）及び同左側面図（ｃ）である。
【図４】軸受溝閉鎖部材の正面図（ａ）、同平面図（ｂ）及び同左側面図（ｃ）である。
【図５】下回動部材の正面図（ａ）、同平面図（ｂ）及び同左側面図（ｃ）である。
【図６】下固定部材に対し下回動部材を組み付ける際の斜視図である。
【図７】下固定部材に対し下回動部材を組み付ける前と組み付けた後の斜視図である。
【図８】使用状態を示す下丁番の斜視図である。
【図９】使用状態を示す下丁番の平面図である。
【図１０】上丁番と下丁番を取り付けたパチンコ遊技機の概略正面図である。
【図１１】図１０のXI-XI断面を示す前枠開放時の断面図である。
【図１２】上丁番の組み付け状態を示す部分平面図である。
【符号の説明】
【００２９】
１      下丁番
２      下固定部材
３      下回動部材
５      上丁番
２１    水平板部
２２    垂直板部
２３    軸受溝
２４    軸受溝閉鎖部材
２４ａ  閉鎖先端部
２５    ばね部材
３１    水平板部
３１ａ  水平突出部
３２    垂直板部
３３    下回動支軸
４０    外枠
４１    前枠                                                                        
【図１】
2008113740.tif 000003
【図２】
2008113740.tif 000004
【図３】
2008113740.tif 000005
【図４】
2008113740.tif 000006
【図５】
2008113740.tif 000007
【図６】
2008113740.tif 000008
【図７】
2008113740.tif 000009
【図８】
2008113740.tif 000010
【図９】
2008113740.tif 000011
【図１０】
2008113740.tif 000012
【図１１】
2008113740.tif 000013
【図１２】
2008113740.tif 000014